(57)【要約】      （修正有）【課題】金融商品を取り扱う各会社が参加し、各社の金融商品に関する情報を掲載するホームページを用いたビジネスモデル方法において、会員と参加社の金融商品担当者との交渉を容易にし、さらには金融商品マーケティング情報を得ることができる金融商品情報ネットワークサービス方法に関する。【解決手段】インターネット上で、参加各社の金融商品に関する情報を掲載するホームページを設け、前記情報を求める者がホームページ上で所定の入力を行い会員登録をし、この会員となった者がホームページ上で会員用のパスワードを入力して希望することで、参加社毎にこの会員専用の掲示板が設けられ、参加社の金融商品担当者が一対一の交渉が行われ、交渉履歴が記録される。また、前記金融商品に関する情報を掲載したページにアクセスされた回数などをもとにして、金融商品マーケティング情報を作成し、参加社への情報報告がなされる。【選択図】図１
2004192303.tif 000002
【特許請求の範囲】
【請求項１】
複数のクライアントコンピュータがホストコンピュータを介してコンピュータネットワークを形成し、このホストコンピュータ同士を回線により常時接続して構築されるインターネット上において、
投資に有利な金融商品情報を求める者が操作するクライアントコンピュータであるユーザコンピュータの求めに応じて、預金、債権、株式、商品の取引、会員権、又は不動産などの金融商品を取り扱う金融機関、商社、又は不動産会社が参加し各社の金融商品に関する情報を掲載するホームページを、ホストコンピュータとしてのサーバコンピュータが送信する行程と、前記情報を求める者が前記ユーザコンピュータにより前記送信されたホームページ上で所定の入力を行い会員登録をする行程と、この会員となった者が前記ユーザコンピュータにより前記送信されたホームページ上で会員用のパスワードを入力して希望することで、各前記参加社毎にこの会員専用の掲示板が設けられる行程と、前記会員となった者がこの掲示板にアクセスし、前記参加社の金融商品担当者が操作するクライアントコンピュータである参加社コンピュータとの間で一対一の交渉が行われ交渉履歴が記録される行程と、を有することを特徴とする金融商品情報ネットワークサービス方法。
【請求項２】
前記金融商品情報を求める者が、ユーザコンピュータにより前記ホームページ上で、前記預金、債権、株式、商品の取引、会員権、又は不動産などの金融商品に関する情報を掲載したページにアクセスした回数、又は／及び、これら情報を掲載した各ページにアクセスがされた通算回数をもとにして、金融商品マーケティング情報を作成し、参加社への情報報告がなされる行程を含む請求項１に記載の金融商品情報ネットワークサービス方法。
【請求項３】
前記ホームページ上で、前記預金、債権、株式、商品の取引、会員権、又は不動産などの金融商品に関する質問に回答された内容をもとにして、金融商品マーケティング情報を作成し、参加社への情報報告がなされる行程を含む請求項１に記載の金融商品情報ネットワークサービス方法。
【発明の詳細な説明】
【０００１】
【発明の属する技術分野】
この発明は、預金、債権、株式、商品の取引、会員権、又は不動産などの金融商品を取り扱う金融機関、商社、又は不動産会社が参加し、各社の金融商品に関する情報を掲載するホームページを用いたビジネスモデル方法に関し、特に、会員と参加社の金融商品担当者との交渉を容易にし、さらには金融商品マーケティング情報を得ることができる金融商品情報ネットワークサービス方法に関する。
【０００２】
【従来の技術】
従来、金融商品すなわち、預金、債権、株式、商品の取引、会員権、又は不動産などの商品を取り扱う金融機関、商社、又は不動産会社は、個別にホームページをインターネット上に設け、商品に関する情報などを掲載していた。投資に有利な金融商品情報を求める者は、インターネット上で、これらのホームページへ個々にアクセスし情報を得るものであった。
【０００３】
そして、これと思う金融商品を見つけると、そのホームページに記載される電子メールアドレスへ電子メールを出したり、あるいは記載される電話番号へ電話をしたりして、その会社の担当者と交渉して、交渉が成立すれば投資先を決めるものであった。
【０００４】
【発明が解決しようとする課題】
しかしながら、金融商品についての交渉を行うのに、電子メールは返信が帰ってくるのに時間がかかり、交渉には不向きであった。また、電話は、時間はかからないものの、何回かの交渉を重ねる必要が有るときに、前回の交渉内容を忘れたり、忘れないようにメモのファイルを作らねばならなかったり、面倒であった。
また、各社毎に設けるホームページでは、他社の金融商品との比較におけるマーケッティング情報は、望むべくもなかった。
【０００５】
この発明は、以上の課題を解決するためになされたもので、時間がかからず、メモを取る必要がなく交渉が行え、他社の金融商品との比較におけるマーケッティング情報が得られる金融商品情報ネットワークサービス方法を提供することを目的とする。
【０００６】
【課題を解決するための手段】
以上の課題を解決するために、第一の発明は、複数のクライアントコンピュータがホストコンピュータを介してコンピュータネットワークを形成し、このホストコンピュータ同士を回線により常時接続して構築されるインターネット上において、投資に有利な金融商品情報を求める者が操作するクライアントコンピュータであるユーザコンピュータの求めに応じて、預金、債権、株式、商品の取引、会員権、又は不動産などの金融商品を取り扱う金融機関、商社、又は不動産会社が参加し各社の金融商品に関する情報を掲載するホームページを、ホストコンピュータとしてのサーバコンピュータが送信する行程と、前記情報を求める者が前記ユーザコンピュータにより前記送信されたホームページ上で所定の入力を行い会員登録をする行程と、この会員となった者が前記ユーザコンピュータにより前記送信されたホームページ上で会員用のパスワードを入力して希望することで、各前記参加社毎にこの会員専用の掲示板が設けられる行程と、前記会員となった者がこの掲示板にアクセスし、前記参加社の金融商品担当者が操作するクライアントコンピュータである参加社コンピュータとの間で一対一の交渉が行われ交渉履歴が記録される行程と、を有することを特徴とする金融商品情報ネットワークサービス方法である。
【０００７】
第二の発明は、さらに、前記金融商品情報を求める者が、ユーザコンピュータにより前記ホームページ上で、前記預金、債権、株式、商品の取引、会員権、又は不動産などの金融商品に関する情報を掲載したページにアクセスした回数、又は／及び、これら情報を掲載した各ページにアクセスがされた通算回数をもとにして、金融商品マーケティング情報を作成し、参加社への情報報告がなされる行程を含む金融商品情報ネットワークサービス方法である。
【０００８】
第三の発明は、さらに、前記ホームページ上で、前記預金、債権、株式、商品の取引、会員権、又は不動産などの金融商品に関する質問に回答された内容をもとにして、金融商品マーケティング情報を作成し、参加社への情報報告がなされる行程を含む金融商品情報ネットワークサービス方法である。
【０００９】
【発明の実施の形態】
この発明の実施の形態を、図１〜図９に示す。
（概略）
図１に示すように、この実施形態は、投資に有利な金融商品情報を求める者（会員又は将来の会員）が、インターネット上で、ショピングモールを構成して金融商品を取り扱う金融機関、商社、又は不動産会社などの各参加社の金融商品に関する情報を掲載するホームページにアクセスし、会員となり、会員用のパスワードを入力して希望することで、特定の参加社毎にこの会員専用の掲示板（ＢＢＳ）が設けられて、この参加社の金融商品担当者との間で一対一の交渉が行われ交渉履歴が記録されるものである。
【００１０】
また、金融商品に関する情報を掲載したページにアクセス回数や、ホームページ上で、各金融商品に関する質問に回答された内容をもとにして、分析が行われ、金融商品マーケティング情報が収集され、参加社への情報報告がなされ、各社のマーケティングに反映される。
【００１１】
（インターネット）
図２に示すように、ここでいうインターネットとは、複数のクライアントコンピュータ１がホストコンピュータ３を介してコンピュータネットワーク５を形成し、この複数のコンピュータネットワーク５をつなぐために、ホストコンピュータ３同士を回線７により常時接続して構築される、いわゆるザ・インターネット９のことである。通常のパソコンだけでなく、インターネットにアクセスできる携帯電話などの他の端末も、ここでいうクライアントコンピュータ１に含めるものとする。
【００１２】
このインターネット９において、投資に有利な金融商品情報を求める者が操作するクライアントコンピュータ１を、ここではユーザコンピュータ１１と呼ぶものとする。このホームページを管理する管理者が操作するクライアントコンピュータ１を、ここでは管理コンピュータ１３と呼ぶものとする。この管理コンピュータ１３が接続するホストコンピュータ３をサーバコンピュータ１５と呼ぶものとする。また、参加社の金融商品担当者が操作するクライアントコンピュータ１を、参加社コンピュータ１７と呼ぶものとする。
【００１３】
（各行程と画面）
金融商品情報を求める者がユーザコンピュータ１１を操作して、この実施形態のホームページにアクセスすると、サーバーコンピュータ１５からホームページのはじめのページ２１が送信され、図３に示す画面が、ユーザコンピュータ１１の表示装置に表示される行程がなされる。この画面には、預金、債権、株式、商品の取引、会員権、又は不動産などの金融商品を案内するページにリンクする複数のリンク部分２３を有し、また、これら金融商品に関する質問を表示するページ（図６）にリンクする複数のリンク部分２５を有する。質問に答えることでポイントが加算される。このような機能はサーバコンピュータ１５及び外部プログラムのＣＧＩで処理される。また、金融商品やその他の商品、サービスに関する複数の広告２７も表示される。また、図示しないものの有名デパートや有名専門店の商品が会員価格で購入できるページへリンクできるリンク部分も設けられる。この会員価格は、前記ポイントが反映されるものとすることができる。このようにしてショッピングモール２９が形成される。
【００１４】
既に会員となっている者は、会員ＩＤやパスワードを入力する欄３１、３３に各々を入力することで、会員でないものにはアクセスできないページにアクセスしたり、後述する会員専用の掲示板（ＢＢＳ）（図４参照）にアクセスできる。
【００１５】
未だ会員でない者は、会員登録のページにリンクするリンク部分３５をクリックしてそのページ（図示せず）にアクセスして、会員の登録を行うことができる。会費は無料にする。この登録は任意であり、名前や住所などを記入して、登録行程がなされる。登録されると後日に、会員ＩＤやパスワードの配布が郵便などで行われる。
【００１６】
次に、はじめのページ２１（図３）の金融商品案内のリンク部分２３のうち、たとえば「預金」をクリックすると、預金を扱う各参加社毎に預金の商品が説明されるページ３７（図４）にリンクする。このページ３７で各商品の説明部分３９を、クリックするとさらに詳しい説明がされるページ（図示せず）にリンクする。また会員ＩＤやパスワードを入力した会員が、説明部分の下に設けられた、「ＢＢＳで交渉を行う・・・」の部分４１をクリックすると、初めてクリックする場合には、この会員専用の掲示板が設けられ、既にクリックしたことが有り交渉履歴があるときは、既に設けられた交渉用の掲示板（ＢＢＳ）（図５参照）に、夫々アクセスする。
【００１７】
また、この掲示板には、参加社の金融商品担当者が操作するクライアントコンピュータである参加社コンピュータ１７によってもアクセスでき、このときの掲示板は図５のようになる。この掲示板４３の画面には、交渉開始日、現在までの交渉件数、この会員のデータや情報などが記載される。そして、今までの金融商品担当者との一対一の交渉が行われた交渉履歴４５が表示される。また、この交渉履歴４５には、現在行われる交渉内容も記録され表示される。
【００１８】
この画面（図５）で特に、「会員情報参照」のリンク部分４７をクリックすると、この会員が、ホームページ上で、前記預金、債権、株式、商品の取引、会員権、又は不動産などの金融商品に関する情報を掲載したページにアクセスした回数や、これら金融商品に関する質問に回答した内容（図示せず）をもとにして分析され、作成された個人の金融商品マーケティング情報（図７）が表示されるページにリンクする。
【００１９】
また、すべてのクライアント（金融商品情報を求める者）によって金融商品の情報を掲載した各ページにアクセスがされた通算回数、アクセスしたクライアントが会員の時には会員情報、さらにはアクセスしたクライアントが、金融商品に関する質問に回答された内容などをもとにして、分析を行い、金融商品マーケティング情報（図９）を作成し、参加社への情報報告がなされる。この図９のページは、参加社コンピュータからのみアクセスできるホームページのページ（図示せず）に表示される。このページでは、期間や性別、年齢などの別で前記アクセスの回数（クリック回数）が棒グラフで示される。このようにして、金融商品の人気商品や不人気商品の目あすにもなる。
【００２０】
この実施例における以上のような機能は、サーバコンピュータ１５及び外部プログラムのＣＧＩでデータ処理されて行われる。
【００２１】
（他の実施形態）
以上の説明において、会員のクライアントコンピュータはパーソナルコンピュータ（ＰＣ）であったが、必ずしもパーソナルコンピュータである必要はなく、図８に示すように、コンピュータの機能を有する携帯端末、Ｌモードと呼ばれる機能を有する電話機などでもよい。
【００２２】
【発明の効果】
以上説明したように、第一、第二、または第三の発明によれば、参加社毎にその会員専用の掲示板を設けて、金融商品担当者と一対一の交渉が行えるので、電子メールのようには時間がかからず、また電話のようにはメモを取る必要がなく、便利に交渉が行える。
【００２３】
さらに、第二の発明によれば、さらに、他社の金融商品との比較におけるマーケッティング情報を、参加社が得られ、自社のマーケッティングに活用できる。
【００２４】
さらに、第三の発明によれば、さらに、金融商品に関する質問に回答された内容をもとにしたマーケッティング情報を、参加社が得られ、自社のマーケッティングに活用できる。
【図面の簡単な説明】
【図１】この発明の一実施形態を示す全体の概念ブロック図である。
【図２】この発明の一実施形態を示すインターネットの概念図である。
【図３】この発明の一実施形態を示すホームページを構成する、はじめのページを示す図である。
【図４】この発明の一実施形態を示すホームページを構成する、預金の商品が説明されるページを示す図である。
【図５】この発明の一実施形態を示す会員専用の交渉用掲示板の図である。
【図６】この発明の一実施形態を示すホームページを構成する、金融商品に関する質問のページを示す図である。
【図７】この発明の一実施形態を示すホームページを構成する、個人の金融商品マーケティング情報のページを示す図である。
【図８】この発明の一実施形態を示すホームページの主な機能を示すブロック図である。
【図９】この発明の一実施形態を示すホームページを構成する、すべてのクライアントの金融商品マーケティング情報のページを示す図である。
【符号の説明】
１  クライアントコンピュータ
３  ホストコンピュータ
５  コンピュータネットワーク
７  回線
９  インターネット（ザ・インターネット）
１１  ユーザコンピュータ
１３  管理コンピュータ
１５  サーバコンピュータ
１７  参加社コンピュータ
２１  ホームページのはじめのページ
２３、２５、  リンク部分
２７  広告
２９  ショッピングモール
３１、３３  会員ＩＤやパスワードを入力する欄
３５  リンク部分
３７  預金の商品が説明されるページ
３９  各商品の説明部分（クリック部分）
４１  クリック部分
４３  掲示板
４５  交渉履歴
４７  リンク部分
【図１】
2004192303.tif 000003
【図２】
2004192303.tif 000004
【図３】
2004192303.tif 000005
【図４】
2004192303.tif 000006
【図５】
2004192303.tif 000007
【図６】
2004192303.tif 000008
【図７】
2004192303.tif 000009
【図８】
2004192303.tif 000010
【図９】
2004192303.tif 000011